(57)【要約】【課題】大型化した演出役物部材であっても支障なく移動して迫力のある演出動作を行わせることができ、演出装置による視覚的な演出効果の向上を図ることができる遊技機を提供する。【解決手段】演出装置の基部となる演出駆動ユニット６０は、ユニットベース部９０と、該ユニットベース部９０に配置された演出駆動モータ６３と、ユニットベース部９０に対して移動可能な移動ベース部９１と、該移動ベース部９１を移動方向へ案内するガイド部９３とを備え、該ガイド部９３をユニットベース部９０の前後両側に配置し、移動ベース部９１に演出役物部材を取り付け、移動ベース部９１には、ユニットベース部９０の一部を挟み込む状態で係合可能な移動係合部１５３を設け、該移動係合部１５３とユニットベース部９０とを係合するとともに移動ベース部９１とガイド部９３とを移動可能な状態で係合した。【選択図】図８
2007282739.tif 000002
【特許請求の範囲】
【請求項１】
遊技盤に区画形成された遊技領域にセンターケースを配置し、該センターケース内に前面側が開口した凹室を設け、該凹室の奥手側に開口窓部を開設し、該開口窓部に変動表示装置を臨ませ、該変動表示装置の表示内容を変動表示ゲームの進行に合わせて変動表示可能な遊技機において、
前記センターケースは、変動表示ゲームの進行に伴って演出動作を実行可能な演出装置を備え、
該演出装置は、移動可能な演出役物部材と、該演出役物部材を駆動する演出駆動ユニットと、を備え、
該演出駆動ユニットは、ユニットベース部と、該ユニットベース部に配置され、演出役物部材の駆動力を発生する駆動源と、ユニットベース部に対して移動可能な移動ベース部と、該移動ベース部を移動方向へ案内するガイド部と、を備え、該ガイド部をユニットベース部の前後両側に配置し、移動ベース部に演出役物部材を取り付け、
前記移動ベース部には、ユニットベース部の一部を挟み込む状態で係合可能な移動係合部を設け、該移動係合部とユニットベース部とを係合するとともに移動ベース部とガイド部とを移動可能な状態で係合したことを特徴とする遊技機。
【請求項２】
前記ガイド部は、移動ベース部の移動方向へ延出した軸部材で形成され、
前記移動ベース部は、ガイド部を摺動可能な状態で係合する軸受部材と、ガイド部を係合した状態で軸受部材を収容する軸受収容部とを備えたことを特徴とする請求項１に記載の遊技機。
【請求項３】
前記移動ベース部は、前面側に演出役物部材を取り付ける役物取付部を備え、
前記移動係合部は、役物取付部の後面側に移動ベース部の移動方向へ延出する状態で配置された第１係合壁部および第２係合壁部との間に区画形成され、
前記第１係合壁部の後端部から第２係合壁部へ向けて係合ストッパーを突設し、移動係合部に係合したユニットベース部の一部と係合ストッパーとを係合可能とし、係合ストッパーによりユニットベース部の一部が移動係合部の後方へ外れることを阻止するように構成したことを特徴とする請求項１または請求項２に記載の遊技機。
【請求項４】
前記ユニットベース部は、ベース基部と、該ベース基部の前面側に配置され、移動ベース部の移動係合部に係合される被係合部と、を備え、
該被係合部は、移動ベース部の係合ストッパーと、役物取付部のうち第１係合壁部と第２係合壁部との間に位置する部分とで挟み込まれる状態で移動係合部に係合されることを特徴とする請求項３に記載の遊技機。
【発明の詳細な説明】
【技術分野】
【０００１】
本発明は、遊技盤に区画形成された遊技領域にセンターケースを配置したパチンコ遊技機等の遊技機に関する。
【背景技術】
【０００２】
従来の遊技機、例えば、パチンコ遊技機においては、遊技盤に遊技球が流下可能な遊技領域を区画形成し、該遊技領域の略中央に装飾等の機能を備えた包囲枠としてセンターケースを配置し、該センターケースの奥側に液晶表示装置の変動表示装置（映像表示装置）を配置している。また、センターケースの下方には、始動入賞口等の始動入賞領域を設定し、遊技球が始動入賞領域へ入賞すると、変動表示装置に複数の識別情報を変動表示して変動表示ゲームを実行する。
【０００３】
そして、センターケースに演出動作を実行可能な演出装置を配置し、該演出装置に所要の動作を行う演出役物部材を備え、該演出役物部材を変動表示ゲームに合わせて動作することにより、視覚的な演出効果を向上させ、遊技の興趣を増大するようにしたパチンコ遊技機が提案されている（例えば、特許文献１参照）。このパチンコ遊技機においては、遊技演出の向上を図るために変動表示装置、センターケースおよび演出役物部材を大型化し、演出役物部材の一部（可動部材）を変動表示ゲームに合わせて可動するように構成されている。
【特許文献１】特開２００４−１２９８７５号公報
【発明の開示】
【発明が解決しようとする課題】
【０００４】
しかしながら、上記特許文献に記載の演出役物部材は、その一部のみを動作させるため、視覚的な演出効果を十分に得ることができない。そこで、大型化した演出役物部材の全体を可動するように構成することも考えられるが、演出役物部材を駆動する駆動機構に過度の負荷が掛かってしまう。この結果、演出役物部材による遊技演出を安定して行うことが困難になってしまい、却って遊技の興趣を低下する虞がある。
【０００５】
本発明は、上記の事情に鑑みてなされたものであり、その目的は、大型化した演出役物部材であっても支障なく移動して迫力のある演出動作を行わせることができ、演出装置による視覚的な演出効果の向上を図ることができる遊技機を提供しようとするものである。
【課題を解決するための手段】
【０００６】
本発明は、上記目的を達成するために提案されたものであり、請求項１に記載のものは、遊技盤に区画形成された遊技領域にセンターケースを配置し、該センターケース内に前面側が開口した凹室を設け、該凹室の奥手側に開口窓部を開設し、該開口窓部に変動表示装置を臨ませ、該変動表示装置の表示内容を変動表示ゲームの進行に合わせて変動表示可能な遊技機において、
前記センターケースは、変動表示ゲームの進行に伴って演出動作を実行可能な演出装置を備え、
該演出装置は、移動可能な演出役物部材と、該演出役物部材を駆動する演出駆動ユニットと、を備え、
該演出駆動ユニットは、ユニットベース部と、該ユニットベース部に配置され、演出役物部材の駆動力を発生する駆動源と、ユニットベース部に対して移動可能な移動ベース部と、該移動ベース部を移動方向へ案内するガイド部と、を備え、該ガイド部をユニットベース部の前後両側に配置し、移動ベース部に演出役物部材を取り付け、
前記移動ベース部には、ユニットベース部の一部を挟み込む状態で係合可能な移動係合部を設け、該移動係合部とユニットベース部とを係合するとともに移動ベース部とガイド部とを移動可能な状態で係合したことを特徴とする遊技機である。
【０００７】
請求項２に記載のものは、前記ガイド部は、移動ベース部の移動方向へ延出した軸部材で形成され、
前記移動ベース部は、ガイド部を摺動可能な状態で係合する軸受部材と、ガイド部を係合した状態で軸受部材を収容する軸受収容部とを備えたことを特徴とする請求項１に記載の遊技機である。
【０００８】
請求項３に記載のものは、前記移動ベース部は、前面側に演出役物部材を取り付ける役物取付部を備え、
前記移動係合部は、役物取付部の後面側に移動ベース部の移動方向へ延出する状態で配置された第１係合壁部および第２係合壁部との間に区画形成され、
前記第１係合壁部の後端部から第２係合壁部へ向けて係合ストッパーを突設し、移動係合部に係合したユニットベース部の一部と係合ストッパーとを係合可能とし、係合ストッパーによりユニットベース部の一部が移動係合部の後方へ外れることを阻止するように構成したことを特徴とする請求項１または請求項２に記載の遊技機である。
【０００９】
請求項４に記載のものは、前記ユニットベース部は、ベース基部と、該ベース基部の前面側に配置され、移動ベース部の移動係合部に係合される被係合部と、を備え、
該被係合部は、移動ベース部の係合ストッパーと、役物取付部のうち第１係合壁部と第２係合壁部との間に位置する部分とで挟み込まれる状態で移動係合部に係合されることを特徴とする請求項３に記載の遊技機である。
【発明の効果】
【００１０】
本発明によれば、以下のような優れた効果を奏する。
請求項１に記載の発明によれば、センターケースは、変動表示ゲームの進行に伴って演出動作を実行可能な演出装置を備え、該演出装置は、移動可能な演出役物部材と、該演出役物部材を駆動する演出駆動ユニットとを備え、該演出駆動ユニットは、ユニットベース部と、該ユニットベース部に配置され、演出役物部材の駆動力を発生する駆動源と、ユニットベース部に対して移動可能な移動ベース部と、該移動ベース部を移動方向へ案内するガイド部とを備え、該ガイド部をユニットベース部の前後両側に配置し、移動ベース部に演出役物部材を取り付け、移動ベース部には、ユニットベース部の一部を挟み込む状態で係合可能な移動係合部を設け、該移動係合部とユニットベース部とを係合するとともに移動ベース部とガイド部とを移動可能な状態で係合したので、ユニットベース部に移動ベース部を安定した状態で取り付けて移動可能とすることができる。したがって、大型化した演出役物部材であっても支障なく移動して迫力のある演出動作を行わせることができ、演出装置による視覚的な演出効果の向上を図ることができる。
【００１１】
請求項２に記載の発明によれば、ガイド部は、移動ベース部の移動方向へ延出した軸部材で形成され、移動ベース部は、ガイド部を摺動可能な状態で係合する軸受部材と、ガイド部を係合した状態で軸受部材を収容する軸受収容部とを備えたので、ガイド部による移動ベース部の案内をスムーズに行うことができ、移動ベース部の移動、ひいては演出役物部材の移動の安定性を確保することができる。
【００１２】
請求項３に記載の発明によれば、移動ベース部は、前面側に演出役物部材を取り付ける役物取付部を備え、移動係合部は、役物取付部の後面側に移動ベース部の移動方向へ延出する状態で配置された第１係合壁部および第２係合壁部との間に区画形成され、第１係合壁部の後端部から第２係合壁部へ向けて係合ストッパーを突設し、移動係合部に係合したユニットベース部の一部と係合ストッパーとを係合可能とし、係合ストッパーによりユニットベース部の一部が移動係合部の後方へ外れることを阻止するように構成したので、不用意に移動ベース部がユニットベース部から外れることを防ぐことができる。したがって、移動ベース部とともに演出役物部材が落下する不具合を防ぐことができ、センターケースや遊技盤が移動ベース部や演出役物部材の落下により損傷することを阻止することができる。
【００１３】
請求項４に記載の発明によれば、ユニットベース部は、ベース基部と、該ベース基部の前面側に配置され、移動ベース部の移動係合部に係合される被係合部とを備え、該被係合部は、移動ベース部の係合ストッパーと、役物取付部のうち第１係合壁部と第２係合壁部との間に位置する部分とで挟み込まれる状態で移動係合部に係合されるので、移動ベース部とユニットベース部とを確実に係合することができ、移動ベース部の移動、ひいては演出役物部材の移動をさらに安定した状態で行うことができる。
【発明を実施するための最良の形態】
【００１４】
以下、代表的な遊技機であるパチンコ遊技機を例に挙げて本発明の実施の最良の形態を図面に基づき説明する。図１はパチンコ遊技機の遊技盤の正面図である。
パチンコ遊技機の遊技盤１は、図１に示すように、表面にガイドレール２やサイドケース３等の区画部材により区画された遊技領域４を形成し、該遊技領域４内の略中央にセンターケース５を配設し、該センターケース５の下方には、遊技球の入賞により後述する特図変動表示ゲーム（本発明における変動表示ゲームに相当）の始動条件を成立させる始動入賞口６を配置し、センターケース５の側方（左側方）には普図始動ゲート９を配置し、センターケース５の左下方および右下方には、発光により各種の装飾表示を行うサイドランプ１０を配置し、該サイドランプ１０の前面側に一般入賞口１１を備えている。また、始動入賞口６の下方には大入賞口１２を配置し、該大入賞口１２の側方に普通図柄表示器１３および特別図柄表示器１４を配置している。さらに、始動入賞口６、普図始動ゲート９、大入賞口１２やセンターケース５等の取付部分を除いた遊技領域４内に障害釘（図示せず）を植設してある。そして、遊技盤１は、この他に、遊技球の流下方向を変える風車（図示せず）、及び入賞せずに流下した遊技球を回収するアウト口１５を設けている。
【００１５】
なお、大入賞口１２の右側方に配置された普通図柄表示器１３は、普図始動ゲート９への入賞（通過）を契機として普図変動表示ゲーム（補助遊技）を行う表示器である。この普通図柄表示器１３は、上下に並んだ多角形状の当たり表示ランプ１７およびハズレ表示ランプ１８を備え、普図変動表示ゲーム時に、当たり表示ランプ１７、またはハズレ表示ランプ１８のいずれかを選択点灯して普通図柄（普図）を表示するように構成されている。そして、当たり表示ランプ１７が点灯して普図変動表示ゲームの結果態様が「当たり」になった場合に、始動入賞口６の開閉部材６ａが開いて、遊技球が始動入賞口６へ入賞し易い状態に変換する。さらに、普通図柄表示器１３の左右両側には、ＬＥＤ等の点状発光体により形成された普図始動記憶表示部１９を配置し、遊技球が普図始動ゲート９を通過したが未処理となっている普図変動表示ゲームの回数を所定数（例えば４個）まで表示できるように構成されている。
【００１６】
また、大入賞口１２の左側方に配置された特別図柄表示器１４は、始動入賞口６への入賞を始動条件として特図変動表示ゲーム（特別遊技）を行う表示器である。この特別図柄表示器１４は、７セグＬＥＤにより数字、記号等の特別図柄（特図）を変動表示するように構成されている。そして、特図変動表示ゲームの表示態様が予め定めた特別の結果態様（大当たり）になったときには、大入賞口１２を所定時間および所定回数だけ開放して、遊技球が大入賞口１２に入賞し易い状態に変換する。さらに、特別図柄表示器１４の左右両側には、ＬＥＤ等の点状発光体により形成された特図始動記憶表示部２０を配置し、遊技球が始動入賞口６に入賞したが未処理となっている特図変動表示ゲームの回数を所定数（例えば４個）まで表示できるように構成されている。
【００１７】
次に、センターケース５について説明する。
センターケース５は、図２および図３に示すように、ケース本体２３と、該ケース本体２３の下部に配置されたステージ部２４と、ケース本体２３の上部に配置された演出装置２５とを具備して構成されている。
【００１８】
ケース本体２３は、枠体構造の部材であり、当該ケース本体２３の前側に配置される前側枠体部２６と、当該ケース本体２３の後側に配置される後側枠体部２７とを前後に重合して構成されている。そして、ケース本体２３の内部には前面側へ開口した凹室２８を設け、該凹室２８の奥手側（後部）には矩形状の開口窓部２９を開設し、該開口窓部２９の後方には、特図変動表示ゲームや普図変動表示ゲーム等の遊技の進行に合わせて表示内容を変動表示可能な液晶表示装置等の変動表示装置３０を配置して、開口窓部２９に変動表示装置３０の表示画面を前方へ臨ませている。さらに、センターケース５の一側部（図１中、左側部）には、遊技領域４を流下する遊技球を凹室２８内、詳しくはステージ部２４へ導入する球導入路（所謂ワープ流路）３２を配置し、センターケース５の前面部のうち球導入路３２の下方には、センターケース５の側方を流下してきた遊技球の流下方向を変化可能な風車３４を備えている。
【００１９】
前側枠体部２６は、開口窓部２９よりも大きな前側開口部３７を開口した枠体であり、当該前側枠体部２６の周縁（外周縁）に沿って取付基板３８を外方へ鍔状に突設している。また、前側枠体部２６の上辺部の前側には、庇状の鎧部４０を左右両側方へ向けて下り傾斜した状態で取付基板３８よりも前方へ突設し、該鎧部４０の左右両側の傾斜端部から縦長の側辺部４１を取付基板３８よりも前方へ突設し、一側（図３中、左側）の側辺部４１には、縦長な第１装飾部材４２を備え、該第１装飾部材４２の下寄りに球導入路３２を形成し、該球導入路３２の上流部（すなわち球導入路３２の入口）を前側枠体部２６の外方へ向けて開放し（図２参照）、球導入路３２の下流部（すなわち球導入路３２の出口）を前側枠体部２６の前側開口部３７へ向けて開放している。さらに、他側（図３中、右側）の側辺部４１には、透光性部材で形成された略逆Ｃ字状の第２装飾部材４３を側辺部４１の側部を覆う状態で備え、側辺部４１と第２装飾部材４３との間にはＬＥＤ等の発光体を実装した発光基板４４を複数配置し、発光基板４４から光を発生し、この光を第２装飾部材４３の側部を介して凹室２８内に照射してセンターケース５を装飾するように構成されている。そして、鎧部４０の一側寄り（図３中、左寄り）の下部には第３装飾部材４５を後述する演出装置２５よりも前方に配置している。
【００２０】
後側枠体部２７は、図３に示すように、開口窓部２９を開設した枠体であり、その前面部のうち開口窓部２９の周縁部には、透光性を有する長尺な装飾レンズ部材４８を開口窓部２９の各辺に沿う状態で配置している。また、後側枠体部２７の上部には、前方および下方（凹室２８側）が開放された演出収容部２７ａを凹ませて形成し、該演出収容部２７ａに後述する演出装置２５を前方から収容できるように構成されている。さらに、後側枠体部２７の一側部（図３中、左側部）の後側面には、縦長な副演出装置４９を備えている。副演出装置４９は、図４に示すように、副演出駆動モータ（回動駆動源）５０をその回動軸が後方へ延出された状態で備え、副演出駆動モータ５０の回動軸にカード状の副演出部材５１を上下に回動可能な状態で軸着している。そして、副演出駆動モータ５０を駆動して副演出部材５１を回動すると、縦向きの状態で後側枠体部２７の後方に隠れていた副演出部材５１が横向きに姿勢を変えて凹室２８内に突出し、変動表示装置３０の前方に配置されるように構成されている。なお、副演出駆動モータ５０の側方には副演出姿勢検出センサ５２を配置し、該副演出姿勢検出センサ５２により副演出部材５１の縁部に突設した突出片５１ａを検出して副演出部材５１の姿勢（具体的には、縦向きになった状態）を検出できるように構成されている。
【００２１】
また、後側枠体部２７の他側部（図３中、右側部）の後側面および下側部の後側面には、ＬＥＤ等の発光体を複数実装した発光基板５４を配置し、各発光基板５４の後方に略逆Ｌ字状の基板カバー５５を配置している。さらに、後側枠体部２７の他側部のうち発光基板５４の発光体の前方に位置する部分に透光孔５６を開設し、後側枠体部２７の他側部（左側部）の前側面と装飾レンズ部材４８との間には集光パネル５７を備え、該集光パネル５７のうち透光孔５６の前方に位置する箇所に筒状の集光部５７ａを配置して、透光孔５６から出射する光（具体的には他側部の後方の発光基板５４の発光体から発生した光）を集光部５７ａを介して装飾レンズ部材４８および装飾レンズ部材４８の前方へ照射できるように構成されている。そして、後側枠体部２７の下側部を透光性部材で形成し、下側の発光基板５４上の発光体から発生した光を下側の装飾レンズ部材４８および装飾レンズ部材４８の前方のステージ部２４へ照射できるように構成されている。
【００２２】
演出装置２５は、図５に示すように、後側枠体部２７の上側部に配置され、変動表示ゲームの進行や変動表示装置３０の表示内容の変化に伴って演出動作を実行可能な装置であり、移動可能な演出役物部材５９と、該演出役物部材５９を駆動する演出駆動ユニット６０とを備えている。演出役物部材５９は、演出動作として一側（図５（ａ）中、左側）へ向けて下り傾斜する横方向へ移動できるように設定された部材であり、横長なブロック状の第１演出役物部材５９ａと縦長なプレート状の第２演出役物部材５９ｂとを横に並べて構成され、第１演出役物部材５９ａを前側枠体部２６の第３装飾部材４５寄り（図４（ａ）中、左寄り）に配置している。また、演出駆動ユニット６０には、演出役物部材５９を駆動するための演出駆動モータ６３（本発明における駆動源に相当）と、演出駆動モータ６３の出力軸の回動位置を検出する駆動モータ位置検出センサ６４（図７参照）とを備えている。そして、演出役物部材５９を演出駆動ユニット６０の一側寄り（右寄り）に配置した常態（上昇状態）では、図４（ａ）に示すように、第１演出役物部材５９ａを第３装飾部材４５の側方（図４（ａ）中、右側方）であって第３装飾部材４５よりも後方に配置して、第１演出役物部材５９ａと第３装飾部材４５とが前方から見て１つの横長なロゴを構成するように設定する。また、第２演出役物部材５９ｂを開口窓部２９の側縁部（図４（ａ）中、右縁部）よりも外方に配置する。一方、常態（上昇状態）から演出駆動モータ６３を駆動し、演出役物部材５９を斜め下方へ移動して演出駆動ユニット６０の下部に配置すると、図６に示すように、第１演出役物部材５９ａをその上部が第３装飾部材４５の下部と前後に重なる状態（下降状態）に配置し、第２演出役物部材５９ｂを開口窓部２９の側縁部（図６中、右縁部）よりも中央寄りに配置する。
なお、演出駆動ユニット６０の構成については、後で詳細に説明する。
【００２３】
そして、副演出駆動モータ５０、演出駆動モータ６３、副演出姿勢検出センサ５２および駆動モータ位置検出センサ６４は、パチンコ遊技機の制御系に接続され、パチンコ遊技機に備えられた制御装置によって制御されて、演出役物部材５９および副演出部材５１が遊技の進行（例えば、変動表示装置３０の表示内容や、特図変動表示ゲームや普図変動表示ゲームの結果態様および結果の予告）等に伴って姿勢や位置を変化したり、小刻みに揺動したりすることができるように構成している。パチンコ遊技機の制御系について、図７に基づいて具体的に説明すると、メイン制御装置（遊技制御装置）６８は、遊技を統括的に制御する主制御装置として機能し、遊技制御を司るＣＰＵ、遊技制御のためのプログラム等を記憶しているＲＯＭ、および遊技制御時にワークエリアとして利用されるＲＡＭ、入力インターフェース、出力インターフェース、クロック等から構成される。また、各種検出装置（特図始動センサ６９、普図始動センサ７０、入賞口センサ７１、カウントセンサ７２）からの検出信号を受けて、大当たり遊技等、種々の処理を行う。そして、サブ制御装置（排出発射制御装置７３、演出制御装置７４等）の他、特別図柄表示器１４、特図始動記憶表示部２０、普通図柄表示器１３、普図始動記憶表示部１９、始動入賞口６を開閉する始動入賞ソレノイド７５、大入賞口１２を開閉する大入賞口開閉ソレノイド７６等に指令信号を送信して、遊技を統括的に制御する。さらに、外部通信端子７７を介して遊技に関する情報等をパチンコ遊技機の外部へ送信する。
【００２４】
また、メイン制御装置６８に接続される演出制御装置７４は、メイン制御装置６８からの演出制御指令信号（制御データ）に基づいて、変動表示装置３０の表示制御を行ったり、パチンコ遊技機の装飾演出等を行ったりする装置である。演出制御装置７４は、演出制御を司るＣＰＵ、演出制御のためのプログラムを格納したＲＯＭ、画像データ等を格納した画像ＲＯＭ、演出制御時のワークエリアや変動表示装置３０に表示される画像データを一時的に記憶するＲＡＭ、ＧＤＰ（Graphic Display Processor）、通信インターフェース等から構成されている。そして、演出制御装置７４の入力側には、副演出姿勢検出センサ５２および駆動モータ位置検出センサ６４等を電気的に接続し、出力側には、変動表示装置３０、スピーカー７８、サイドランプ１０、発光基板４４，５４、演出駆動モータ６３、副演出駆動モータ５０等を電気的に接続している。
【００２５】
ステージ部２４は、球導入路３２から流下してきた遊技球や、センターケース５の下方の遊技領域４から障害釘により弾き飛ばされてセンターケース５内へ進入してきた遊技球を転動させて始動入賞口６へ誘導可能な棚部である。そして、センターケース５内に受け入れた遊技球を転動可能な球転動部８０と、該球転動部８０から遊技球を始動入賞口６へ導出可能な球導出部８１とを備え、球転動部８０をステージ部２４の上部に配置し、球導出部８１をステージ部２４の下部に配置して構成されている。
【００２６】
次に、演出装置２５の基部となる演出駆動ユニット６０の構成について説明する。
演出駆動ユニット６０は、図８に示すように、横長なユニットベース部９０と、該ユニットベース部９０に配置され、演出役物部材５９の駆動力を発生する演出駆動モータ６３と、演出役物部材５９が取り付けられ、この取付状態でユニットベース部９０に対して移動可能な移動ベース部９１と、演出駆動モータ６３からの駆動力を移動ベース部９１に伝達する駆動伝達機構９２と、移動ベース部９１を移動方向へ案内する複数のガイド部９３（第１ガイド部９３ａおよび第２ガイド部９３ｂ）とを備えて構成されている。また、第１ガイド部９３ａおよび第２ガイド部９３ｂを移動ベース部９１の移動方向へ延出した軸部材（丸棒）で形成し、第１ガイド部９３ａをユニットベース部９０の前面側に前側枠体部２６の第３装飾部材４５側（図８（ａ）および（ｂ）中、左側）へ下り傾斜した姿勢で配置し、第２ガイド部９３ｂをユニットベース部９０の後面側に第１ガイド部９３ａと同じ傾斜姿勢、すなわち第３装飾部材４５側（図８（ｃ）中、右側）へ下り傾斜した姿勢で配置している。
【００２７】
ユニットベース部９０は、図９に示すように、横長なベース基部９６と、該ベース基部９６の前面側に配置され、移動ベース部９１の一部に係合される被係合部９７とを備え、当該ユニットベース部９０の左右両側には、演出駆動ユニット６０（演出装置２５）を後側枠体部２７へ止着するための止着部９０ａを設けている。ベース基部９６は、その上部に庇状の当接部９８を前方へ突設し、該当接部９８を演出収容部２７ａの上縁部へ当接して演出装置２５の上下方向の位置決めを行えるように構成されている（図５（ａ）参照）。また、ベース基部９６の前面側には、第１ガイド部９３ａをベース基部９６から前方へ離した状態で支持する第１ガイド支持部１００を備えている。第１ガイド支持部１００は、第１ガイド部９３ａの上端部を嵌合可能な第１嵌合部（第１上端支持部）１０１と、第１ガイド部９３ａの下端部を収容可能な第１収容部（第１下端支持部）１０２とから構成され、第１嵌合部１０１をベース基部９６の上側のうち左右方向の中央部分に前方へ突出した状態で形成し、第１収容部１０２をベース基部９６の下側のうち一側寄り（図９（ａ）中、左寄り）に前方へ突出した状態で形成している。そして、第１嵌合部１０１の前側部のうち第１収容部１０２に対向する部分に第１嵌合凹部１０３を第１収容部１０２とは反対側に凹んだ状態で形成し、第１嵌合凹部１０３の前方に第１脱落阻止壁１０４を配置し、該第１脱落阻止壁１０４に第１ガイド部９３ａの上端部を後方から係合して第１ガイド部９３ａが第１嵌合凹部１０３（第１嵌合部１０１）から脱落することを防ぐように構成されている。さらに、第１収容部１０２の前側部には、前方および第１収容部１０２と対向する方向へ開放した第１収容凹部１０５を形成し、該第１収容凹部１０５に第１ガイド部９３ａの下端部を前方から収納できるように構成されている。なお、第１ガイド支持部１００に第１ガイド部９３ａを取り付ける手順については、後で詳細に説明する。
【００２８】
また、ベース基部９６の後面側には、図９（ｃ）に示すように、複数の伝達機構支持突部（第１支持突部１０８、第２支持突部１０９、第３支持突部１１０）を後方へ突設している。具体的に説明すると、ベース基部９６の後面側のうち左右方向の中央部分に第１支持突部１０８を突設し、該第１支持突部１０８よりもベース基部９６の一側寄り（図９（ｃ）中、右寄り）の部分に第２支持突部１０９を第１支持突部１０８と横に並ぶ状態で突設している。そして、図１０（ａ）に示すように、第１支持突部１０８の後端部に駆動伝達機構９２の構成要素である第１伝達ギア１１２を伝達回動軸１１３を介して回動自在な状態で軸着し、第２支持突部１０９の後端部に駆動伝達機構９２の構成要素である第２伝達ギア１１４を伝達回動軸１１５を介して回動自在な状態で軸着し、この軸着状態で第１伝達ギア１１２と第２伝達ギア１１４とを噛合している。
【００２９】
さらに、第２支持突部１０９よりもベース基部９６の一側寄り（図９（ｃ）中、右寄り）の部分に、第１支持突部１０８および第２支持突部１０９よりも一回り大きな第３支持突部１１０を第１支持突部１０８および第２支持突部１０９と横に並ぶ状態で突設している。そして、第３支持突部１１０には、アーム回動軸１１７を前後方向へ貫通した状態、詳しくは前端部をベース基部９６の前面側から前方へ突出するとともに後端部を第３支持突部１１０の後端から後方へ突出した状態で回動可能に支持し、アーム回動軸１１７の後端部に第３伝達ギア１１８を接続し、この接続状態で第３伝達ギア１１８を第２伝達ギア１１４へ噛合している。また、アーム回動軸１１７の前端部には、ベース基部９６と第１ガイド部９３ａとの間に配置される縦長な駆動アーム１２０（詳しくは駆動アーム１２０の上端部）を接続し、第３伝達ギア１１８、アーム回動軸１１７および駆動アーム１２０が共回りすると駆動アーム１２０の下端部が左右方向へ移動するように構成されている（図１１参照）。なお、駆動アーム１２０は、その下端部に後述する移動ベース部９１へ係合可能な円筒状の係合突起（係合ローラ）１２１を回動自在な状態で前方へ突設し、当該駆動アーム１２０の下端部を移動することにより係合突起１２１が移動ベース部９１を押圧して、この押圧動作により移動ベース部９１がガイド部９３に沿って移動するように構成される。したがって、第３伝達ギア１１８、アーム回動軸１１７および駆動アーム１２０は、移動ベース部９１に駆動力を伝達する駆動伝達機構９２の一部として機能する。
【００３０】
そして、ベース基部９６の後面側のうち第１支持突部１０８の側方（図９（ｃ）中、左側方）および上方に支持ロッド１２３を後方へ向けて延設し、該支持ロッド１２３の後端部に前方を開放したギアカバー１２４を配置し、該ギアカバー１２４により第１伝達ギア１１２および第２伝達ギア１１４の一部が後方から被覆されるように構成されている。さらに、ギアカバー１２４の後面に演出駆動モータ６３を回動軸６３ａがベース基部９６側へ突出した状態で止着するとともに、回動軸６３ａをギアカバー１２４の後面に開設した挿通開口１２５を介してギアカバー１２４の内部に配置している。そして、回動軸６３ａの先端に駆動伝達機構９２の構成要素である駆動ギア１２６を接続し、この接続状態で駆動ギア１２６と第１伝達ギア１１２とを噛合している。したがって、演出駆動モータ６３を駆動して駆動ギア１２６を回動すると、この回動力が第１伝達ギア１１２、第２伝達ギア１１４、第３伝達ギア１１８およびアーム回動軸１１７を介して駆動アーム１２０に伝達し、駆動アーム１２０の下端部を左右方向へ回動することができ、移動ベース部９１をガイド部９３に沿って移動することができる。
【００３１】
なお、ベース基部９６の下縁部の後側には、第１伝達ギア１１２、第２伝達ギア１１４および第３伝達ギア１１８を下方から覆い隠す下側壁部１２８を後方へ延設している。また、下縁部の前側のうち第１収容部１０２の下方に位置する部分には、移動ベース部９１に係合可能な移動ベースストッパー１２９を前方へ突設し、該移動ベースストッパー１２９により移動ベース部９１がその移動範囲を超えて下方へ移動することを阻止できるように構成されている。
【００３２】
被係合部９７は、図９に示すように、ベース基部９６の前面側のうち第１ガイド支持部１００とは反対側（図９（ａ）中、右側）から前方へ突設された第１被係合壁部１３１と、該第１被係合壁部１３１の前縁部から外方（図９（ａ）中、右側方）へ延設された第２被係合壁部１３２とから構成されている。そして、第１被係合壁部１３１の下端部および第２被係合壁部１３２の下端部を第１嵌合部１０１の下方（すなわち、ベース基部９６の下部のうち左右方向の中央部分）に配置し、第１被係合壁部１３１の上端部および第２被係合壁部１３２の上端部をベース基部９６のうち第１ガイド支持部１００とは反対側の端部（図９（ａ）中、右端部）に配置して、当該被係合部９７を第１ガイド部９３ａおよび第２ガイド部９３ｂと同じ傾斜姿勢、すなわち第３装飾部材４５側（図９（ａ）中、左側）へ下り傾斜した姿勢に設定している。
【００３３】
また、被係合部９７の後面側、詳しくは第２被係合壁部１３２の後面側には、図９（ｃ）に示すように、第２ガイド部９３ｂが支持される第２ガイド支持部１３５を備えている。第２ガイド支持部１３５は、第２ガイド部９３ｂの上端部を収容可能な第２収容部（第２上端支持部）１３６と、第２ガイド部９３ｂの下端部を嵌合可能な第２嵌合部（第２下端支持部）１３７とから構成され、第２収容部１３６を第２被係合壁部１３２の傾斜上端の近傍に後方へ突出した状態で形成し、第２嵌合部１３７を第２被係合壁部１３２の傾斜下端の近傍に後方へ突出した状態で形成している。そして、第２収容部１３６の後側部には、後方および第２嵌合部１３７と対向する方向へ開放した第２収容凹部１３８を形成し、該第２収容凹部１３８に第２ガイド部９３ｂの上端部を後方から収納できるように構成されている。さらに、第２嵌合部１３７の後側部のうち第２収容部１３６に対向する部分に第２嵌合凹部１３９を第２収容部１３６とは反対側に凹んだ状態で形成し、第２嵌合凹部１３９の後方に第２脱落阻止壁１４０を配置し、該第２脱落阻止壁１４０に第２ガイド部９３ｂの上端部を前方から係合して第２ガイド部９３ｂが第２嵌合凹部１３９（第２嵌合部１３７）から脱落することを防ぐように構成されている。なお、第２ガイド支持部１３５に第２ガイド部９３ｂを取り付ける手順については、後で詳細に説明する。
【００３４】
次に、移動ベース部９１について説明する。
移動ベース部９１は、当該移動ベース部９１の本体となる平板状の役物取付部１４３を備えている。役物取付部１４３は、その一側（図１２（ａ）中、左側）に第１演出役物部材５９ａを取り付けるための第１取付部１４４を第１演出役物部材５９ａとほぼ同じ上下幅で形成し、他側（図１２（ａ）中、右側）には第２演出役物部材５９ｂを取り付けるための第２取付部１４５を第１取付部１４４よりも狭い上下幅の横長な短冊形状で形成し、第２取付部１４５の下縁部を第１取付部１４４の下縁部よりも上方に配置し、第２取付部１４５の下縁部と第１取付部１４４の下縁部との間を傾斜した状態で形成している。また、第１取付部１４４の一側（左側）の下部および他側（右側）の上部に第１止着孔１４６をそれぞれ開設し、該第１止着孔１４６にビス等の止着部材（図示せず）を通して第１取付部１４４に第１演出役物部材５９ａを止着できるように構成されている。さらに、第２取付部１４５の左右両側に第２止着孔１４７をそれぞれ開設し、該第２止着孔１４７にビス等の止着部材（図示せず）を通して第２取付部１４５に第２演出役物部材５９ｂ（詳しくは第２演出役物部材５９ｂの上部）を止着できるように構成されている。
【００３５】
また、役物取付部１４３の後面側には、図１２（ｃ）に示すように、互いに平行な第１係合壁部１５１および第２係合壁部１５２を後方へ突設するとともに、第１取付部１４４側（図１２（ｃ）中、右側）へ下り傾斜した状態、言い換えると移動ベース部９１の移動方向へ延出する状態、すなわち各ガイド部９３および被係合部９７と同じ傾斜姿勢となる状態に設定している。また、第１係合壁部１５１の傾斜上端部を第２取付部１４５の上方まで延設し、第２係合壁部１５２の傾斜上端部を第１取付部１４４の上隅部（図１２（ｃ）中、左上隅部）の近傍まで延設している。さらに、第１係合壁部１５１を役物取付部１４３の下部に配置し、第２係合壁部１５２を第１係合壁部１５１から上方へ離れた位置に配置し、第１係合壁部１５１と第２係合壁部１５２との間に、被係合部９７よりも一回り広い幅の移動係合部１５３を移動ベース部９１の移動方向に沿って傾斜した状態、すなわち各ガイド部９３および被係合部９７と同じ傾斜姿勢となる状態で区画形成している。そして、移動係合部１５３の後側と傾斜上端側となる第２取付部１４５側（図１２（ｃ）中、左側）とを開放し、この開放部分から被係合部９７を係合できるように構成されている。
【００３６】
さらに、第１係合壁部１５１の傾斜上端側の後端部から矩形状の係合ストッパー１５４を第２係合壁部１５２へ向けて（言い換えると、移動係合部１５３の傾斜方向と直交する方向へ）突設している。係合ストッパー１５４は、移動係合部１５３に係合した状態の被係合部９７が移動係合部１５３の後方へ外れることを阻止するための部材であり、図１２（ｂ）に示すように、役物取付部１４３（第１取付部１４４）よりも後方に配置され、役物取付部１４３との前後方向の間隔Ｄ１を被係合部９７の第２被係合壁部１３２の厚さ（前後幅）よりも十分に広く設定している。そして、移動係合部１５３の傾斜上端および第１取付部１４４の側縁部（図１２（ａ）中、右縁部）から移動係合部１５３の傾斜方向へ離れた位置に設定し、係合ストッパー１５４と第１取付部１４４および移動係合部１５３との間隔Ｄ２を被係合部９７の第２被係合壁部１３２の厚さ（前後幅）よりも十分に広く設定している。なお、間隔Ｄ２で設定された隙間は、ユニットベース部９０に移動ベース部９１を組み付ける際に、第２被係合壁部１３２を挿入する挿入空間部１５５として機能する。
【００３７】
また、第２係合壁部１５２の傾斜下端側の上方には、駆動アーム１２０の係合突起１２１を係合可能な係合溝部１５７を備えている。係合溝部１５７は、図１２（ｃ）に示すように、移動係合部１５３の傾斜方向と略直交する方向へ延設された溝部であり、第１取付部１４４の後面側のうち移動係合部１５３を挟んで係合ストッパー１５４とは反対側（図１２（ｃ）中、右側）に配置されている。また、係合溝部１５７の後側を開放して、後方から係合突起１２１を挿入できるように構成されている。
【００３８】
そして、移動ベース部９１は、図１３に示すように、係合ストッパー１５４の上部および第１取付部１４４のうち係合溝部１５７の上方に位置する部分に、ガイド部９３を摺動可能な状態で係合する軸受部材１５９と、該軸受部材１５９を収容する軸受収容部１６０とを備えている。具体的に説明すると、第１取付部１４４のうち係合ストッパー１５４とは反対側の上隅部（図１３（ａ）中、左上隅部）であって係合溝部１５７の上方に位置する部分の前面側を後方へ凹ませて第１軸受収容部１６０ａを形成し、該第１軸受収容部１６０ａの左右両側部に矩形状のガイド挿通口１６２を第１ガイド部９３ａの傾斜方向ヘ向けて開放し、このガイド挿通口１６２を第１ガイド部９３ａの断面よりも十分に広い矩形状に設定している。さらに、第１軸受収容部１６０ａに円筒状の第１軸受部材１５９ａを軸受孔がガイド挿通口１６２に連通する姿勢で収容し、第１軸受部材１５９ａの中心軸を第１ガイド部９３ａの中心軸と同一線上に配置するように構成されている（図１３（ｂ）〜（ｄ）参照）。
【００３９】
また、係合ストッパー１５４の上部の前面側を後方へ凹ませて第２軸受収容部１６０ｂを形成し、該第２軸受収容部１６０ｂの左右両側部に矩形状のガイド挿通口１６３を第２ガイド部９３ｂの傾斜方向ヘ向けて開放し、このガイド挿通口１６３を第２ガイド部９３ｂの断面よりも十分に広い矩形状に設定している。さらに、第２軸受収容部１６０ｂに円筒状の第２軸受部材１５９ｂを軸受孔がガイド挿通口１６３に連通する姿勢で収容し、第２軸受部材１５９ｂの中心軸を第２ガイド部９３ｂの中心軸と同一線上に配置するように構成されている（図１３（ａ）〜（ｃ），（ｅ）参照）。
【００４０】
次に、演出駆動ユニット６０の組み立て手順、特にユニットベース部９０に移動ベース部９１およびガイド部９３を取り付ける手順について説明する。なお、ユニットベース部９０には予め駆動伝達機構９２および演出駆動モータ６３が装着され、移動ベース部９１の軸受収容部１６０には予め軸受部材１５９が装着されているものとする。
【００４１】
まず、ユニットベース部９０の下方に移動ベース部９１を第１取付部１４４がユニットベース部９０よりも前方に位置する姿勢で配置して、ベース基部９６および第２被係合壁部１３２と役物取付部１４３とを上から見て略直交する状態に設定する。移動ベース部９１の姿勢を設定したならば、この状態でユニットベース部９０の下方から移動ベース部９１を近づけ、移動ベース部９１の挿入空間部１５５にユニットベース部９０の第２被係合壁部１３２を挿入する。そして、挿入空間部１５５に第２被係合壁部１３２を十分に挿入し、移動ベース部９１の第２係合壁部１５２が第１被係合壁部１３１を越えたならば、挿入空間部１５５を回転中心にして移動ベース部９１を図１４（ａ）に示す矢印Ａの方向へへ横向きに回転し、第１取付部１４４を駆動アーム１２０に前方から近づけて係合溝部１５７に駆動アーム１２０の係合突起１２１を係合し（図１４（ｂ）参照）、さらに移動ベース部９１を回転してユニットベース部９０と略平行な姿勢にする。すると、第２被係合壁部１３２の下縁部が第１係合壁部１５１の上面に沿って配置され、第１被係合壁部１３１と第２係合壁部１５２とが上下に重なる状態で配置される。また、係合ストッパー１５４が第２被係合壁部１３２の後方であって第１被係合壁部１３１の下方に配置され、この結果、第２被係合壁部１３２（すなわち被係合部９７）が係合ストッパー１５４と、役物取付部１４３のうち第１係合壁部１５１と第２係合壁部１５２との間に位置する部分とで挟み込まれる状態になる。このようにして、被係合部９７が移動係合部１５３に係合される。
【００４２】
被係合部９７と移動係合部１５３とを係合したならば、図１５（ａ）に示すように、この係合状態で移動ベース部９１をその上部が前方へ倒れるように傾け、第１軸受部材１５９ａおよび第１軸受収容部１６０ａを第１ガイド支持部１００よりも前方へ移動する。このとき、図１５（ｂ）に示すように、係合ストッパー１５４が第１被係合壁部１３１の下部よび第２被係合壁部１３２の後部に係合（当接）するとともに、第２被係合壁部１３２の下縁部が役物取付部１４３に係合（当接）して移動ベース部９１が過度に前方へ倒れ込むことを防ぎ、移動係合部１５３と被係合部９７との係合状態を維持する。
【００４３】
第１軸受部材１５９ａおよび第１軸受収容部１６０ａを第１ガイド支持部１００よりも前方に配置したならば、第１軸受収容部１６０ａのガイド挿通口１６２を介して第１ガイド部９３ａを第１軸受部材１５９ａへ挿通して摺動可能な状態で係合し（図１６（ａ）参照）、この挿通状態で第１ガイド部９３ａの第１嵌合部１０１側の端部（上端部）を後方のユニットベース部９０側へ傾け、さらに第１嵌合部１０１の第１嵌合凹部１０３へ嵌合する。すると、第１ガイド部９３ａの上端部と第１脱落阻止壁１０４とが前後に係合して、第１ガイド部９３ａと第１嵌合部１０１との嵌合状態が維持される。第１嵌合部１０１に第１ガイド部９３ａの上端部を嵌合したならば、第１ガイド部９３ａの第１収容部１０２側の端部（下端部）を第１収容部１０２の第１収容凹部１０５へ前方から収容し（図１６（ｂ）参照）、この収容状態で第１収容部１０２の前端部に蓋部材（図示せず）をビス等の止着部材で止着して第１収容凹部１０５の前方を覆い、第１収容部１０２と第１ガイド部９３ａとの係合状態を維持する。このようにして第１ガイド支持部１００に第１ガイド部９３ａを取り付けると、第１ガイド部９３ａは、移動ベース部９１の移動方向に沿って傾斜した姿勢でユニットベース部９０の前面側に支持される。また、第１ガイド部９３ａの両端を支持するために、この両端それぞれに蓋部材および止着部材を用いる必要がなく、演出駆動ユニット６０の構成部品数の低減を図ることができる。
【００４４】
ユニットベース部９０の前面側に第１ガイド部９３ａを取り付けたならば、この第１ガイド部９３ａを中心軸として移動ベース部９１をユニットベース部９０へ近づける方向（すなわち後方）へ回動し、第２軸受部材１５９ｂおよび第２軸受収容部１６０ｂを第２ガイド支持部１３５よりも後方へ移動する（図１７参照）。なお、このとき、第２被係合壁部１３２に役物取付部１４３を前方から押し付けて、第２被係合壁部１３２の下部を後方へ撓ませれば、第２軸受部材１５９ｂおよび第２軸受収容部１６０ｂを第２ガイド支持部１３５よりも後方へ移動し易くなるので好適である。
【００４５】
第２軸受部材１５９ｂおよび第２軸受収容部１６０ｂを第２ガイド支持部１３５よりも後方に配置したならば、図１８に示すように、第２軸受収容部１６０ｂのガイド挿通口１６３を介して第２ガイド部９３ｂを第２軸受部材１５９ｂへ挿通して摺動可能な状態で係合し、この挿通状態で第２ガイド部９３ｂの第２嵌合部１３７側の端部（下端部）を前方のユニットベース部９０側へ傾け、さらに第２嵌合部１３７の第２嵌合凹部１３９へ嵌合する。すると、第２ガイド部９３ｂの下端部と第２脱落阻止壁１４０とが前後に係合して、第２ガイド部９３ｂと第２嵌合部１３７との嵌合状態が維持される。第２嵌合部１３７に第２ガイド部９３ｂの下端部を嵌合したならば、第２ガイド部９３ｂの第２収容部１３６側の端部（上端部）を第２収容部１３６の第２収容凹部１３８へ後方から収容し、この収容状態で第２収容部１３６の後端部に蓋部材（図示せず）をビス等の止着部材で止着して第２収容凹部１３８の後方を覆い、第２収容部１３６と第２ガイド部９３ｂとの係合状態を維持する。このようにして第２ガイド支持部１３５に第２ガイド部９３ｂを取り付けると、第２ガイド部９３ｂは、移動ベース部９１の移動方向に沿って傾斜した姿勢でユニットベース部９０の後面側に支持されて、第２軸受収容部１６０ｂおよび第２軸受部材１６０ｂを第２嵌合部１３７と第２収容部１３６との間（言い換えると、支持状態の第２ガイド部９３ｂの中心軸上）に配置する。また、第２ガイド部９３ｂの両端を支持するために、この両端それぞれに蓋部材および止着部材を用いる必要がなく、演出駆動ユニット６０の構成部品数の低減を図ることができる。さらに、第２ガイド部９３ｂを被係合部９７（第２被係合壁部１３２）の後方に隠した状態で配置するので、移動ベース部９１が第２ガイド部９３ｂの前方から移動したとしても第２ガイド部９３ｂが前方へ露出することがない（図６参照）。したがって、演出部材の装飾性を損なうことがない。なお、第１ガイド部９３ａは、センターケース５に固定された第３装飾部材４５の後方に隠れるため、移動ベース部９１の移動に拘らず前方へ露出することがなく、演出部材の装飾性を損なうことがない。
【００４６】
このようにしてユニットベース部９０に移動ベース部９１および各ガイド部９３を組み付けた結果、移動ベース部９１は、図１９に示すように、役物取付部１４３をユニットベース部９０のベース基部９６に略平行となる姿勢に設定し、また、第１被係合壁部１３１を第１係合壁部１５１および第２係合壁部１５２に略平行となる姿勢に設定する。さらに、第２被係合壁部１３２を係合ストッパー１５４および役物取付部１４３に略平行となる姿勢に設定するとともに係合ストッパー１５４と役物取付部１４３との間に挟み込ませ、この状態で移動係合部１５３に被係合部９７を係合する。このようにして、演出駆動ユニット６０は、移動係合部１５３と被係合部９７（ユニットベース部９０）とを係合するとともに移動ベース部９１とガイド部９３とを移動可能な状態で係合する。したがって、ユニットベース部９０に移動ベース部９１を安定した状態で取り付けて移動可能とすることができる。このことから、大型化した演出役物部材５９であっても支障なく移動して迫力のある演出動作を行わせることができ、演出装置２５による視覚的な演出効果の向上を図ることができる。また、係合ストッパー１５４と役物取付部１４３とで第２被係合壁部１３２を挟みこむ状態で移動係合部１５３に被係合部９７を係合しているので、移動ベース部９１とユニットベース部９０とを確実に係合することができ、移動ベース部９１の移動、ひいては演出役物部材５９の移動をさらに安定した状態で行うことができる。
【００４７】
さらに、演出駆動ユニット６０は、移動係合部１５３に係合した状態の被係合部９７の後方に係合ストッパー１５４を配置して、この係合ストッパー１５４を移動係合部１５３へ後方から係合可能としている。そして、係合ストッパー１５４は、被係合部９７が移動係合部１５３の後方へ外れることを阻止する。したがって、不用意に移動ベース部９１がユニットベース部９０から外れる不具合を防ぐことができる。これにより、例えば、ガイド部９３がガイド支持部１００，１３５から外れたとしても、移動ベース部９１とともに演出役物部材５９が落下する不具合を防ぐことができ、センターケース５や遊技盤１が移動ベース部９１や演出役物部材５９の落下により損傷する不都合を阻止することができる。また、移動ベース部９１は、軸受部材１５９を介してガイド部９３を摺動可能な状態で係合したので、ガイド部９３による移動ベース部９１の案内をスムーズに行うことができ、移動ベース部９１の移動、ひいては演出役物部材５９の移動の安定性を十分に確保することができる。
【００４８】
このようにして移動可能に取り付けられた移動ベース部９１をガイド部９３に沿って移動するには、演出駆動モータ６３を駆動し、駆動伝達機構９２の各ギア１１２，１１４，１１８，１２６およびアーム回動軸１１７を介して駆動アーム１２０を回転する。そして、駆動アーム１２０を正面から見て反時計回りに回転すると、駆動アーム１２０の係合突起１２１が係合溝部１５７に係合した状態で移動ベース部９１を各ガイド部９３の傾斜上端側へ押圧し、この結果、移動ベース部９１がガイド部９３に沿って傾斜上端へ向けて上昇する。なお、移動ベース部９１がその移動範囲の上限位置に到達した状態（図８（ａ）参照）、すなわち演出役物部材５９を演出駆動ユニット６０の一側寄り（右寄り）に配置することができる上昇状態（図４（ａ）参照）では、係合突起１２１がアーム回動軸１１７よりも被係合部９７側（右側）に配置され、この状態で係合溝部１５７の上端部に下方から当接して移動ベース部９１を支持する。この結果、移動ベース部９１は、駆動アーム１２０により支持されて上昇状態を維持することができる。
【００４９】
一方、駆動アーム１２０を正面から見て時計回りに回転すると、駆動アーム１２０の係合突起１２１が係合溝部１５７に係合した状態で移動ベース部９１を各ガイド部９３の傾斜下端側へ押圧し、この結果、移動ベース部９１がガイド部９３に沿って傾斜下端へ向けて下降する。なお、移動ベース部９１がその移動範囲の下限位置に到達した状態（図８（ｂ）参照）、すなわち演出役物部材５９を演出駆動ユニット６０の他側寄り（左寄り）の下部に配置することができる下降状態（図６参照）では、係合突起１２１がアーム回動軸１１７よりも第１収容部１０２側（左側）に配置され、この状態で係合突起１２１が係合溝部１５７の上端部に下方から当接して移動ベース部９１を支持する。この結果、移動ベース部９１は、駆動アーム１２０により支持されて下降状態を維持することができる。
【００５０】
上記実施形態では、移動係合部１５３を第１係合壁部１５１と第２係合壁部１５２とにより区画形成し、被係合部９７を第１被係合壁部１３１と第２被係合壁部１３２とにより構成したが、本発明はこれに限定されない。要は、移動ベース部９１の移動係合部１５３がユニットベース部９０の一部である被係合部９７を挟み込む状態で係合可能であり、この係合状態を維持しながら移動ベース部９１がユニットベース部９０上を移動可能であればどのような構成の移動係合部および被係合部を適用してもよい。
【００５１】
さらに、上記実施形態では、ガイド部９３を２つ設けたが、本発明はこれに限定されない。移動ベース部９１を移動方向へ案内する機能を十分に備えることができれば、１つのガイド部を備えるだけでもよいし、あるいは３つ以上のガイド部を備えてもよい。また、移動ベース部９１の移動する方向は、傾斜した横方向に限らない。例えば、移動ベース部９１を上下方向へ移動するようにしてもよいし、前後方向へ移動するようにしてもよい。そして、演出役物部材５９は、センターケース５の凹室２８内を移動するように構成したが、本発明はこれに限らず、凹室２８の外側を移動するように構成してもよい。
【００５２】
上記実施形態では、代表的な遊技機であるパチンコ遊技機を例にして説明したが、本発明はこれに限らず、遊技盤のセンターケースに演出装置を備え、該演出装置に、移動可能な演出役物部材と、該演出役物部材を駆動する演出駆動ユニットとを備えた遊技機であればどのような遊技機でもよい。例えば、内部に封入した遊技球を循環させる封入球式パチンコ機、アレンジボール式遊技機、雀球式遊技機等の遊技機であってもよい。
【００５３】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００５４】
【図１】遊技盤の正面図である。
【図２】センターケースの斜視図である。
【図３】センターケースの分解斜視図である。
【図４】副演出装置を駆動した状態のセンターケースの説明図であり、（ａ）は正面図、（ｂ）は背面図である。
【図５】（ａ）は演出装置を取り付けた後側枠体部の正面図、（ｂ）は後側枠体部と演出装置の後方から見た分解斜視図である。
【図６】演出装置を駆動した状態のセンターケースの正面図である。
【図７】制御系の説明に供するブロック構成図である。
【図８】（ａ）は移動ベース部を上昇した状態の演出駆動ユニットの前方から見た斜視図、（ｂ）は移動ベース部を下降した状態の演出駆動ユニットの前方から見た斜視図、（ｃ）は演出駆動ユニットの後方から見た斜視図である。
【図９】ユニットベース部の説明図であり、（ａ）は正面図、（ｂ）前方から見た斜視図、（ｃ）は後方下側から見た斜視図である。
【図１０】ユニットベース部、駆動伝達機構、演出駆動モータの後方から見た分解斜視図である。
【図１１】駆動伝達機構および演出駆動モータを備えたユニットベース部の斜視図である。
【図１２】移動ベース部の説明図であり、（ａ）は正面図、（ｂ）は平面図、（ｃ）は背面図である。
【図１３】移動ベース部の説明図であり、（ａ）は前方から見た斜視図、（ｂ）は後方上側から見た斜視図、（ｃ）は後方下側から見た斜視図、（ｄ）は第１軸受部材および第１軸受収容部の拡大図、（ｅ）は第２軸受部材および第２軸受収容部の拡大図である。
【図１４】（ａ）は移動ベース部の移動係合部とユニットベース部の被係合部とを係合した状態を示す斜視図、（ｂ）は駆動アームの係合突起と移動ベース部の係合溝部との係合状態を示す正面図である。
【図１５】第１ガイド部を取り付ける前の準備状態を示す説明図であり、（ａ）は被係合部の傾斜方向から見た演出駆動ユニットの断面図、（ｂ）は係合ストッパー周辺の拡大断面図である。
【図１６】第１ガイド部を取り付ける動作を示す説明図であり、（ａ）は第１ガイド部を第１軸受部材に係合した状態の正面図、（ｂ）は第１ガイド部を第１ガイド支持部に支持した状態の正面図である。
【図１７】第２ガイド部を取り付ける前の準備状態を示す説明図であり、（ａ）は被係合部の傾斜方向から見た演出駆動ユニットの断面図、（ｂ）は係合ストッパー周辺の拡大断面図である。
【図１８】第２ガイド部を取り付ける動作を示す背面図である。
【図１９】各ガイド部を取り付けた状態の演出駆動ユニットの説明図であり、（ａ）は被係合部の傾斜方向から見た断面図、（ｂ）は係合ストッパー周辺の拡大断面図である。
【符号の説明】
【００５５】
１  遊技盤
５  センターケース
２３  ケース本体
２４  ステージ部
２５  演出装置
２６  前側枠体部
２７  後側枠体部
２７ａ  演出収容部
４２  第１装飾部材
４３  第２装飾部材
４５  第３装飾部材
５９  演出役物部材
５９ａ  第１演出役物部材
５９ｂ  第２演出役物部材
６０  演出駆動ユニット
６３  演出駆動モータ
６３ａ  回動軸
８０  球転動部
８１  球導出部
９０  ユニットベース部
９１  移動ベース部
９２  駆動伝達機構
９３  ガイド部
９３ａ  第１ガイド部
９３ｂ  第２ガイド部
９６  ベース基部
９７  被係合部
９８  当接部
１００  第１ガイド支持部
１０１  第１嵌合部
１０２  第１収容部
１０８  第１支持突部
１０９  第２支持突部
１１０  第３支持突部
１１２  第１伝達ギア
１１４  第２伝達ギア
１１７  アーム回動軸
１１８  第３伝達ギア
１２０  駆動アーム
１２１  係合突起
１２６  駆動ギア
１３１  第１被係合壁部
１３２  第２被係合壁部
１３５  第２ガイド支持部
１３６  第２収容部
１３７  第２嵌合部
１４３  役物取付部
１４４  第１取付部
１４５  第２取付部
１５１  第１係合壁部
１５２  第２係合壁部
１５３  移動係合部
１５４  係合ストッパー
１５７  係合溝部
１５９  軸受部材
１５９ａ  第１軸受部材
１５９ｂ  第２軸受部材
１６０  軸受収容部
１６０ａ  第１軸受収容部
１６０ｂ  第２軸受収容部
【図１】
2007282739.tif 000003
【図２】
2007282739.tif 000004
【図３】
2007282739.tif 000005
【図４】
2007282739.tif 000006
【図５】
2007282739.tif 000007
【図６】
2007282739.tif 000008
【図７】
2007282739.tif 000009
【図８】
2007282739.tif 000010
【図９】
2007282739.tif 000011
【図１０】
2007282739.tif 000012
【図１１】
2007282739.tif 000013
【図１２】
2007282739.tif 000014
【図１３】
2007282739.tif 000015
【図１４】
2007282739.tif 000016
【図１５】
2007282739.tif 000017
【図１６】
2007282739.tif 000018
【図１７】
2007282739.tif 000019
【図１８】
2007282739.tif 000020
【図１９】
2007282739.tif 000021